(57)【要約】【課題】指紋データ登録の際の煩わしさを軽減すると共にプライバシーの保護が可能な集合住宅指紋照合装置を提供する。【解決手段】集合住宅の共同玄関２に設置され、入力された指紋データと予め記憶された指紋データとを照合して一致するか否かを判断し、一致した場合に共同玄関の開指令を行う集合住宅指紋照合装置１であって、集合住宅の世帯毎の少なくとも一人を、その世帯内の他の居住者について指紋データの登録権限を有する登録権限者として記憶すると共に、記憶された登録権限者の指紋データと予め記憶された指紋データとが一致し且つ他の居住者の指紋データが入力された場合に、他の居住者の指紋データを記憶する。【選択図】      図１
2004211381.tif 000002
【特許請求の範囲】
【請求項１】
集合住宅の共同玄関に設置され、入力された指紋データと予め記憶された指紋データとを照合して一致するか否かを判断し、一致した場合に前記共同玄関の開指令を行う集合住宅指紋照合装置において、
前記集合住宅の世帯毎の少なくとも一人を、その世帯内の他の居住者について指紋データの登録権限を有する登録権限者として記憶すると共に、記憶された登録権限者の指紋データと予め記憶された指紋データとが一致し且つ他の居住者の指紋データが入力された場合に、他の居住者の指紋データを記憶することを特徴とする集合住宅指紋照合装置。
【請求項２】
集合住宅の共同玄関に設置され、入力された指紋データと予め記憶された指紋データとを照合して一致するか否かを判断し、一致した場合に前記共同玄関の開指令を行う集合住宅指紋照合装置において、
複数人の居住者の指紋データを世帯毎に分別して記憶すると共に、世帯毎の少なくとも一人を、その世帯内の他の居住者について指紋データの登録権限を有する登録権限者として記憶する記憶手段と、
指紋を指紋データとして入力する指紋入力手段と、
世帯の部屋番号を指定すると共に、他の居住者の指紋データを前記記憶手段に記憶させる登録モードを指定する操作手段と、
前記操作手段にて入力された部屋番号の世帯に属する居住者の指紋データおよび前記指紋入力手段により入力された指紋データを照合して、一致するかを判断する認証手段と、
前記認証手段により一致すると判断された場合に、前記共同玄関の開指令を行う指令手段と、
前記認証手段により一致すると判断された場合に、一致が確認された居住者が登録権限者であるかを判断する権限者判断手段と、
前記権限者判断手段により当該居住者が登録権限者であると判断され且つ前記操作手段にて前記登録モードが指定されている場合に、他の居住者の指紋データを前記指紋入力手段により入力することにより、前記登録権限者が属する世帯に対応する前記記憶手段の記憶領域にその指紋データを記憶させる記憶制御手段と、
を備えることを特徴とする集合住宅指紋照合装置。
【請求項３】
前記記憶手段は、世帯毎に暗証番号を記憶し、
前記操作手段は、指定された部屋番号の世帯について暗証番号の入力を受け付け、
前記認証手段は、前記記憶手段に記憶され且つ前記操作手段にて部屋番号が指定された世帯の暗証番号と、前記操作手段にて入力された暗証番号とが、一致するか否かを判断し、
前記指令手段は、前記認証手段により一致が確認された場合に、前記共同玄関の開指令を行う
ことを特徴とする請求項２に記載の集合住宅指紋照合装置。
【請求項４】
前記記憶制御手段は、前記操作手段への暗証番号の指定を含む所定の暗証番号登録操作が登録権限者からなされることで、その登録権限者の世帯に対応する前記記憶手段の記憶領域に暗証番号を記憶させることを特徴とする請求項３に記載の集合住宅指紋照合装置。
【請求項５】
前記記憶制御手段は、居住者がいない未入居世帯に入居する新規入居者の指紋データを、前記指紋入力手段により入力することにより、未入居世帯と対応する前記記憶手段の記憶領域に記憶させると共に、その新規入居者を登録権限者として記憶させることを特徴とする請求項２〜４のいずれか１項に記載の集合住宅指紋照合装置。
【請求項６】
前記記憶制御手段は、集合住宅を管理する特定者からの所定の指紋登録操作によって、新規入居者の指紋データを記憶させると共に、新規入居者を登録権限者として記憶させることを特徴とする請求項５に記載の集合住宅指紋照合装置。
【請求項７】
前記記憶制御手段は、前記操作手段へ部屋番号の指定を含む所定の消去操作により、その部屋番号に対応する前記記憶手段の記憶領域内の指紋データを一括消去させることを特徴とする請求項２〜請求項６のいずれか１項に記載の集合住宅指紋照合装置。
【発明の詳細な説明】
【０００１】
【発明の属する技術分野】
本発明は、集合住宅指紋照合装置に関する。
【０００２】
【従来の技術】
従来、ユーザから入力された入力情報と、予め登録された登録情報とを照合し、一致するか否かを認証する認証装置が知られている。このような認証装置は、集合住宅の共同玄関に設置され、照合により一致が確認されると共同玄関の開指令を行い、居住者の集合住宅内への進入を許可すると共に、部外者の集合住宅内への侵入を防止している。（例えば特許文献１参照）
また、近年では、集合住宅の共同玄関に設置される認証装置は、指紋データにより居住者を識別する集合住宅指紋照合装置として用いられている。
【０００３】
【特許文献１】
特開平８−３２６３７７号公報
【０００４】
【発明が解決しようとする課題】
ところで、集合住宅指紋照合装置では、居住者を識別するために予め指紋データを登録しておかなければならず、指紋データが居住者の個々人に係る情報であるため、この登録を他のものに任せるわけにはいかないのが実情である。
【０００５】
また、集合住宅指紋照合装置では、部外者が勝手に指紋データを登録しないように、指紋データの登録権限を特定者（例えば集合住宅の管理人）のみに与えている。このため、世帯内の居住者全員の指紋データを登録する場合には、特定者が操作し、その世帯の居住者全員が指紋データを入力することにより指紋登録が行なわれることとなる。
【０００６】
しかしながら、指紋データの登録については、居住者全員が特定者と共に登録作業を行なわなければならなず、居住者全員が時間の都合等の制約を受け、登録作業が煩わしいものとなってしまう。特に、時間の制約は、特定者が常駐していない集合住宅において顕著なものとなる。また、居住者は、特定者と共に登録作業を行なわなければならないことから、家族構成に変更等があったときには、それが特定者に知られてしまい、プライバシーが守れないという問題がある。
【０００７】
本発明はこのような従来の課題を解決するためになされたものであり、その目的とするところは、指紋データ登録の際の煩わしさを軽減すると共にプライバシーの保護が可能な集合住宅指紋照合装置を提供することにある。
【０００８】
【課題を解決するための手段】
上記課題を解決するために、本発明は、集合住宅の共同玄関に設置され、入力された指紋データと予め記憶された指紋データとを照合して一致するか否かを判断し、一致した場合に共同玄関の開指令を行う集合住宅指紋照合装置において、集合住宅の世帯毎の少なくとも一人を、その世帯内の他の居住者について指紋データの登録権限を有する登録権限者として記憶すると共に、記憶された登録権限者の指紋データと予め記憶された指紋データとが一致し且つ他の居住者の指紋データが入力された場合に、他の居住者の指紋データを記憶することを特徴とする。
【０００９】
また、本発明は、集合住宅の共同玄関に設置され、入力された指紋データと予め記憶された指紋データとを照合して一致するか否かを判断し、一致した場合に共同玄関の開指令を行う集合住宅指紋照合装置において、複数人の居住者の指紋データを世帯毎に分別して記憶すると共に、世帯毎の少なくとも一人を、その世帯内の他の居住者について指紋データの登録権限を有する登録権限者として記憶する記憶手段と、指紋を指紋データとして入力する指紋入力手段と、世帯の部屋番号を指定すると共に、他の居住者の指紋データを記憶手段に記憶させる登録モードを指定する操作手段と、操作手段にて入力された部屋番号の世帯に属する居住者の指紋データおよび指紋入力手段により入力された指紋データを照合して、一致するかを判断する認証手段と、認証手段により一致すると判断された場合に、共同玄関の開指令を行う指令手段と、認証手段により一致すると判断された場合に、一致が確認された居住者が登録権限者であるかを判断する権限者判断手段と、権限者判断手段により当該居住者が登録権限者であると判断され且つ操作手段にて登録モードが指定されている場合に、他の居住者の指紋データを指紋入力手段により入力することにより、登録権限者が属する世帯に対応する記憶手段の記憶領域にその指紋データを記憶させる記憶制御手段と、を備えることを特徴とする。
【００１０】
本発明によれば、集合住宅の世帯毎の少なくとも一人を、その世帯内の他の居住者について指紋データの登録権限を有する登録権限者として記憶するので、登録権限者の操作により、他の居住者の指紋データの登録が許可され、他の居住者が指紋入力することにより、他の居住者の指紋データが本装置に記憶されることとなる。このため、他の居住者は、登録権限者と共に登録作業を行えばよく、特定者（管理人等）と共に作業を行なう必要が無い。故に、居住者は、集合住宅に特定者が常駐していない場合であっても、時間の都合等の制約を受けにくくなる。
【００１１】
また、その世帯に新たに加入する加入者等により家族構成に変更があったときであっても、その加入者等は特定者と共に作業を行う必要がない。故に、居住者は、指紋登録に際し特定者に家族構成等を知られることがない。
【００１２】
従って、指紋データ登録の際の煩わしさを軽減すると共にプライバシーを保護することができる。
【００１３】
また、本発明では、記憶手段は、世帯毎に暗証番号を記憶し、操作手段は、指定された部屋番号の世帯について暗証番号の入力を受け付け、認証手段は、記憶手段に記憶され且つ操作手段にて部屋番号が指定された世帯の暗証番号と、操作手段にて入力された暗証番号とが、一致するか否かを判断し、指令手段は、認証手段により一致が確認された場合に、共同玄関の開指令を行うことを特徴とする。
【００１４】
この場合、指紋照合に加えて暗証番号の入力により、共同玄関の開指令が行われるため、例えば、指紋が代わりやすい幼児や、指紋の認識が困難である老人などが集合住宅の居住者にいたとしても、何ら不都合なく指紋照合と暗証番号入力とを併用することにより、共同玄関の開指令が行われることになる。従って、対象となるユーザ層による制限を受けにくくなる。
【００１５】
また、本発明では、記憶制御手段は、操作手段への暗証番号の指定を含む所定の暗証番号登録操作が登録権限者からなされることで、その登録権限者の世帯に対応する記憶手段の記憶領域に暗証番号を記憶させることを特徴とする。
【００１６】
この場合、暗証番号の登録の際には登録権限者からの操作が必要とされため、部外者により暗証番号が登録されることがなく、さらには、集合住宅を管理する特定者であっても、単独では暗証番号の登録が行えないこととなる。従って、防犯性等を向上させることができる。
【００１７】
また、本発明では、記憶制御手段は、居住者がいない未入居世帯に入居する新規入居者の指紋データを、指紋入力手段により入力することにより、未入居世帯と対応する記憶手段の記憶領域に記憶させると共に、その新規入居者を登録権限者として記憶させることを特徴とする。
【００１８】
また、本発明では、記憶制御手段は、集合住宅を管理する特定者からの所定の指紋登録操作によって、新規入居者の指紋データを記憶させると共に、新規入居者を登録権限者として記憶させることを特徴とする。
【００１９】
この場合、新たに集合住宅に入居する新規入居者の指紋データを記憶する際に新規入居者を登録権限者として記憶するので、新規入居者は、今後、自己の世帯に加入する加入者等により家族構成に変更があったとしても、その変更を知られることなく、加入者等の指紋データの登録が行えるようになる。また、その加入者等は、特定者と共に登録作業を行う必要がない。従って、指紋データ登録の際の煩わしさを軽減すると共にプライバシーを保護することができる。
【００２０】
また、本発明では、記憶制御手段は、操作手段へ部屋番号の指定を含む所定の消去操作により、その部屋番号に対応する記憶手段の記憶領域内の指紋データを一括消去させることを特徴とする。
【００２１】
この場合、指紋データを一括消去が可能とされているため、退去者は集合住宅の退去時に１つずつ指紋データを消去することなく一括消去することで、消去作業が容易となる。また、退去者が指紋データを消し忘れた場合であっても、特定者が一括消去を行うことで、容易に指紋データが消去されることとなる。従って、利便性を向上させることができる。
【００２２】
【発明の実施の形態】
以下、本発明の好適な実施形態を図面に基づいて説明する。
【００２３】
図１は、本発明の実施形態に係る集合住宅指紋照合装置を含むシステム構成図である。同図に示すように、集合住宅指紋照合装置１は、集合住宅の共同玄関２付近の壁などに設置され、入力された指紋データと予め記憶された指紋データとを照合して一致するか否かを判定し、一致した場合に共同玄関２の開指令を行うものである。
【００２４】
また、集合住宅指紋照合装置１は、居住者からの暗証番号の入力を受け付けると共に、この暗証番号が予め記憶された暗証番号と一致する場合にも共同玄関２の開指令を行うものである。
【００２５】
共同玄関２は、開指令を受けると開動作するものである。また、共同玄関２には、不図示のドアスイッチが設けられている。このドアスイッチは、例えば、共同玄関２が扉式のもの２ａである場合、扉が完全に閉じるまで施錠をしないようにするものである。共同玄関２が自動ドア式のもの２ｂである場合も同様である。
【００２６】
また、集合住宅指紋照合装置１は、管理人室等に設けられるコンピュータ３に接続されている。コンピュータ３は、本装置１にアクセスして記憶されている操作履歴等を読み込むと共に、読み込んだ操作履歴等をディスプレイ上に表示するようになっている。
【００２７】
図２は、図１に示した集合住宅指紋照合装置１の外観図である。集合住宅指紋照合装置１は、指紋を指紋データとして入力する指紋入力部（指紋入力手段）１０と、世帯の部屋番号の指定等を行う操作部（操作手段）２０と、本装置１の現在の状態等を表示する表示部３０とを備えている。
【００２８】
指紋入力部１０は、指紋を読み取るセンサ部１１を備え、このセンサ部１１から居住者の指紋を画像データとして取り込むものである。
【００２９】
操作部２０は、集合住宅の世帯の部屋番号および暗証番号が指定可能とされたテンキー２１と、後述する登録モード等を指定可能なＳＴスイッチ２２と、番号等の入力最中にその番号等を消去するクリアスイッチ２３と、番号等の入力最中に最後に入力された番号等を消去するバックスペーススイッチ２４と、管理キーが挿入されることでオンする管理スイッチ２５とを具備している。ここで、管理キーは、一般に集合住宅を管理するもの（以下管理人という）が所有している。このため、管理スイッチ２５は、通常管理人によってオンされることとなる。
【００３０】
表示部３０は、テンキー２１により入力された番号等を表示する文字表示部３１と、現在の本装置１の状態を示すために点灯する点灯部３２と、現在の本装置１の状態を示す内容が記載され、この記載が点灯部３２に対応するように設けられている状態表示部３３とを備えている。
【００３１】
状態表示部３３は、点灯部３２の所定のランプが点灯することにより、本装置１の状態を居住者等に伝えるようになっている。すなわち、例えば、指紋の入力を促す場合には、状態表示部３３の「指を置いてください。」の側方に設けられるランプが点灯し、暗証番号の入力を促す場合には、状態表示部３３の「暗証番号を入力してください。」の側方に設けられるランプが点灯する。
【００３２】
また、図示しないが、集合住宅指紋照合装置１には、こじ開け検出スイッチが設けられている。こじ開け検出スイッチは、本装置１を壊す等の目的で無理やりこじ開けようとすることを検出し、接続先である報知器等にてその旨を報知するように構成されている。さらに、本装置１は、各部屋に１つずつ設置された解錠要求ボタンからの要求を受けて、共同玄関２に開指令を送出するようになっている。なお、この解錠要求ボタンは、コンピュータ３に設けられてもよい。
【００３３】
次に、本実施形態に係る集合住宅指紋照合装置１の内部構成について説明する。図３は、本実施形態に係る集合住宅指紋照合装置１の内部構成を示すブロック図である。
【００３４】
同図に示すように、集合住宅指紋照合装置１は、複数人の居住者の指紋データを世帯毎に分別して記憶すると共に、世帯毎の少なくとも一人を登録権限者として記憶する記憶部（記憶手段）４０を有している。ここで、登録権限者とは、権限者が属する世帯の他の居住者について指紋データの登録権限を有するものである。
【００３５】
また、集合住宅指紋照合装置１は、記憶部４０に記憶された居住者の指紋データと指紋入力部１０により入力された指紋データとを照合して、一致するか否かを判断する認証部（認証手段）５０と、認証結果および操作部２０からの操作内容に従って処理を行う処理部６０と、処理部６０による処理に基づいて扉式の共同玄関２ａの電気錠を解錠させる鍵制御部（指令手段）７０と、処理部６０による処理に基づいて自動ドア式の共同玄関２ｂを開動作させる自動ドア制御部（指令手段）８０と、処理部６０による処理に基づいて表示部３０への表示内容を制御する表示制御部９０とを備えている。
【００３６】
ここで、処理部６０は、権限者判断部（権限者判断手段）６１と記憶制御部（記憶制御手段）６２とを具備している。権限者判断部６１は、認証部５０により入力された指紋データと予め記憶部４０にて記憶している指紋データとが一致すると判断された場合に、一致が確認された居住者が登録権限者であるかを判断するものである。
【００３７】
すなわち、権限者判断部６１は、指紋が一致した居住者を特定し、その特定された者が記憶部４０にて登録権限者として記憶されているかを判断する。
【００３８】
また、記憶制御部６２は、指紋データが新たに登録等された場合に、記憶部４０にその指紋データを記憶させるものであり、記憶部４０の記憶・消去等を司るものである。
【００３９】
次に、記憶部４０に記憶される内容を説明する。図４は、記憶部４０に記憶される内容の一例を示す説明図である。同図に示すように、記憶部４０には、部屋番号、ユーザＮｏ、指紋データおよび暗証番号が記憶されている。このうち、ユーザＮｏと指紋データと暗証番号とは、それぞれ部屋番号、即ち世帯毎に分別されて記憶されている。
【００４０】
また、記憶部４０は、世帯毎にユーザが２０人まで登録可能となっている。すなわち、図４に示すユーザＮｏが「００」から「１９」まで登録可能となっている。また、指紋データは、ユーザそれぞれにつき１つずつ記憶されている。なお、図４では、指紋データを簡略化しアルファベットで記載してある。
【００４１】
さらに、記憶部４０は、世帯毎に暗証番号を１つだけ記憶している。この暗証番号は、例えば４桁から８桁まで指定可能であり、居住者からの選択によって決定されるようになっている。
【００４２】
さらには、記憶部４０は、登録権限者に関する情報を記憶している。具体的に記憶部４０は、ユーザＮｏが「００」の者を登録権限者として記憶している。
【００４３】
次に、本実施形態に係る集合住宅指紋照合装置１の動作について説明する。図５〜図９は、本実施形態に係る集合住宅指紋照合装置１の動作を示すフローチャートである。
【００４４】
図５に示すように、まず、処理部６０は、管理スイッチ２５がオンされたか否かを判断する（ＳＴ１０１）。管理スイッチ２５がオンされていない場合（ＳＴ１０１：ＮＯ）、処理部６０は、部屋番号が入力されたか否かを判断する（ＳＴ１０２）。具体的には、処理部６０は、操作部２０のテンキー２１が居住者等により操作され、部屋番号が入力されたか否かを判断する。
【００４５】
部屋番号が入力されていないと判断した場合（ＳＴ１０２：ＮＯ）、処理部６０は、共同玄関２が開状態か否かを判断する（ＳＴ１０３）。共同玄関２が開状態である場合（ＳＴ１０３：ＹＥＳ）、処理はステップＳＴ１０１に戻る。
【００４６】
一方、共同玄関２が開状態でない場合（ＳＴ１０３：ＮＯ）、処理部６０は、共同玄関２が施錠されているか否かを判断する（ＳＴ１０４）。共同玄関２が施錠されていると判断した場合（ＳＴ１０４：ＹＥＳ）、処理はステップＳＴ１０１に戻る。共同玄関２が施錠されていないと判断した場合（ＳＴ１０４：ＮＯ）、鍵制御部７０や自動ドア制御部８０は、共同玄関２の施錠指令を行う（ＳＴ１０５）。これにより、共同玄関２は施錠を行うこととなる。そして、施錠後、処理は、ステップＳＴ１０１に戻る。
【００４７】
ところで、操作部２０へ部屋番号が入力されたと判断した場合（ＳＴ１０２：ＹＥＳ）、処理部６０は、その部屋番号が実際に存在するか否かを判断する（ＳＴ１０６）。なお、部屋番号を入力している際、処理部６０は、テンキー２１から入力された番号の情報を表示制御部９０に送出し、表示制御部９０は、その番号を表示部３０の文字表示部３１に表示させる。
【００４８】
部屋番号が実際に存在しないと判断した場合（ＳＴ１０６：ＮＯ）、表示制御部９０は、部屋番号が存在しない旨を文字表示部３１に表示させる（ＳＴ１０７）。そして、処理はステップＳＴ１０１に戻る。
【００４９】
一方、部屋番号が存在すると判断した場合（ＳＴ１０６：ＹＥＳ）、処理部６０は、入力された部屋番号を「ｒ」に代入する（ＳＴ１０８）。そして、処理部６０は、指紋入力部１０から指紋が入力されたか否かを判断する（ＳＴ１０９）。
【００５０】
指紋入力部１０から指紋が入力されたと判断した場合（ＳＴ１０９：ＹＥＳ）、処理部６０は、「ｎ」に「０」を代入する（ＳＴ１１０）。ここで、「ｎ」は、ユーザＮｏを示すものである。
【００５１】
その後、認証部５０は、記憶部４０に記憶される指紋データと入力された指紋データとを照合し、一致するか否かを判断する（ＳＴ１１１）。具体的には、ステップＳＴ１０８にて部屋番号が入力されているため、認証部５０は、入力された部屋番号の世帯に属する居住者の指紋データと、指紋入力部１０により入力された指紋データを照合して、一致するかを判断する。さらに具体的には、ユーザＮｏ「ｎ」が設定（例えばステップＳＴ１１０や後述のステップＳＴ１１２にて設定）されているため、入力された部屋番号の居住者であって該当するユーザＮｏの指紋データと、入力された指紋データを照合して、一致するかを判断する。
【００５２】
一致しないと判断した場合（ＳＴ１１１：ＮＯ）、処理部６０は、「ｎ」をインクリメントする（ＳＴ１１２）。すなわち、処理部６０は、ユーザＮｏをインクリメントする。その後、処理部６０は、インクリメントされたユーザＮｏで指紋データが存在するか否かを判断する（ＳＴ１１３）。
【００５３】
指紋データが存在すると判断した場合（ＳＴ１１３：ＹＥＳ）、処理はステップＳＴ１１１に戻る。指紋データが存在しないと判断した場合（ＳＴ１１３：ＮＯ）、処理部６０は、「ｎ」が最大値以上であるか否かを判断する（ＳＴ１１４）。すなわち、処理部６０はユーザＮｏが最大値以上であるか否かを判断する。本実施形態の記憶部４０には、ユーザＮｏが「００」から「１９」まで設定可能なので、「ｎ」が「１９」以上であるか否かを判断することとなる。
【００５４】
「ｎ」が最大値以上でないと判断した場合（ＳＴ１１４：ＮＯ）、処理はステップＳＴ１１２に戻る。一方、「ｎ」が最大値以上であると判断した場合（ＳＴ１１４：ＹＥＳ）、表示制御部９０は、指紋が一致しなかった旨を文字表示部３１に表示させる（ＳＴ１１５）。そして、処理はステップＳＴ１０１に戻る。
【００５５】
ところで、一致すると判断した場合（ＳＴ１１１：ＹＥＳ）、権限者判断部６１は、「ｎ」が「０」であるか否かを判断する（ＳＴ１１６）。すなわち、権限者判断部６１は、一致が確認された居住者が登録権限者であるか否かを判断する。
【００５６】
「ｎ」が「０」でないと判断した場合（ＳＴ１１６：ＮＯ）、鍵制御部７０や自動ドア制御部８０は、共同玄関２の開指令を行う（ＳＴ１１７）。そして、記憶制御部６２は、指紋一致者の世帯の部屋番号、ユーザＮｏおよび開指令された日時分のデータを記憶部４０に記憶させる（ＳＴ１１８）。その後、処理はステップＳＴ１０１に戻る。
【００５７】
このように、本装置１は、権限者判断部６１が、入力された指紋データに基づいて、指紋入力者を登録権限者であるか判断し、登録権限者でない場合には共同玄関２の開指令を行うようになっている。
【００５８】
一方、「ｎ」が「０」であると判断した場合（ＳＴ１１６：ＹＥＳ）、処理部６０は、ＳＴスイッチ２２がオンされているか否かを判断する（ＳＴ１１９）。ＳＴスイッチ２２がオンされていないと判断した場合（ＳＴ１１９：ＮＯ）、処理はステップＳＴ１１７に移行する。
【００５９】
すなわち、本装置１は、権限者判断部６１が、入力された指紋データに基づいて、指紋入力者を登録権限者であるか判断し、登録権限者であると判断した場合であっても、ＳＴスイッチ２２がオンされていない場合（後述する登録モードが指定されていない場合）には、登録権限者に新規指紋データの登録の意思がないとして、共同玄関２の開指令を行うようになっている。
【００６０】
ＳＴスイッチ２２がオンされたと判断した場合（ＳＴ１１９：ＹＥＳ）、処理部６０は、コマンドが入力されたか否かを判断する（図６：ＳＴ１２０）。具体的には、処理部６０は、操作部２０のテンキー２１が登録権限者等に操作されコマンドが入力されたか否かを判断する。
【００６１】
コマンドが入力されなかったと判断した場合（ＳＴ１２０：ＮＯ）、処理部６０は入力待ち時間以内か否かを判断する（ＳＴ１２１）。入力待ち時間以内である場合（ＳＴ１２１：ＹＥＳ）、処理はステップＳＴ１２０に戻る。一方、入力待ち時間以内でない場合（ＳＴ１２１：ＮＯ）、処理は図５のステップＳＴ１０１に戻る。
【００６２】
コマンドが入力されたと判断した場合（ＳＴ１２０：ＹＥＳ）、処理部６０は、コマンドが「１」であるか否かを判断する（ＳＴ１２２）。ここで、コマンド「１」とは、登録モードを指定するものであり、登録モードとは、登録権限者が他の居住者の指紋データを記憶部４０に記憶させるためのモードである。
【００６３】
コマンドが「１」であると判断した場合（ＳＴ１２２：ＹＥＳ）、処理部６０は、ユーザＮｏが入力されたか否かを判断する（ＳＴ１２３）。具体的には、処理部６０は、操作部２０のテンキー２１が登録権限者等に操作されユーザＮｏが入力されたか否かを判断する。
【００６４】
ユーザＮｏが入力されなかったと判断した場合（ＳＴ１２３：ＮＯ）、処理部６０は入力待ち時間以内か否かを判断する（ＳＴ１２４）。入力待ち時間以内である場合（ＳＴ１２４：ＹＥＳ）、処理はステップＳＴ１２３に戻る。一方、入力待ち時間以内でない場合（ＳＴ１２４：ＮＯ）、処理は図５のステップＳＴ１０１に戻る。
【００６５】
ユーザＮｏが入力されたと判断した場合（ＳＴ１２３：ＹＥＳ）、処理部６０は、入力されたユーザＮｏを「ｎ」に代入する（ＳＴ１２５）。その後、処理部６０は、指紋データが入力されたか否かを判断する（ＳＴ１２６）。具体的には、処理部６０は、指紋入力部１０のセンサ部１１に他の居住者の指が置かれ、他の居住者の指紋が画像データとして取り込まれたか否かを判断する。
【００６６】
指紋データが入力されなかったと判断した場合（ＳＴ１２６：ＮＯ）、処理部６０は入力待ち時間以内か否かを判断する（ＳＴ１２７）。入力待ち時間以内である場合（ＳＴ１２７：ＹＥＳ）、処理はステップＳＴ１２６に戻る。一方、入力待ち時間以内でない場合（ＳＴ１２７：ＮＯ）、処理は図５のステップＳＴ１０１に戻る。
【００６７】
指紋データが入力されたと判断した場合（ＳＴ１２６：ＹＥＳ）、処理部６０の記憶制御部６２は、登録権限者が属する世帯（ステップＳＴ１０８において「ｒ」に代入された部屋番号の世帯）に対応する記憶部４０の記憶領域に他の居住者の指紋データを記憶させる（ＳＴ１２８）。
【００６８】
そして、記憶制御部６２は、指紋データが登録された日時分のデータ、指紋データが登録された世帯の部屋番号、およびユーザＮｏを記憶部４０に記憶させる（ＳＴ１２９）。その後、処理は図５のステップＳＴ１０１に戻る。
【００６９】
このように、本装置１は、権限者判断部６１が、入力された指紋データに基づいて、指紋入力者を登録権限者であるか判断し、登録権限者であると判断した場合であって、且つ、ＳＴスイッチ２２がオンされコマンド「１」が指定されている場合（登録モードが指定されている場合）に、登録権限者に新規指紋データの登録の意思があるとしている。
【００７０】
そして、他の居住者が指紋入力部１０にて指紋データを入力することにより、記憶制御部６２が、登録権限者の属する世帯に対応する記憶部４０の記憶領域に他の居住者の指紋データを記憶させるようになっている。
【００７１】
以上、本装置１における指紋による解錠および指紋データの登録であるが、本装置１では、上記以外にも、暗証番号による解錠、指紋データの個別削除、暗証番号の登録および暗証番号の削除が行えるようになっている。
【００７２】
次に、暗証番号による解錠を説明する。指紋入力部１０から指紋が入力されなかったと判断した場合（図５：ＳＴ１０９：ＮＯ）、処理部６０は、暗証番号が入力されたか否かを判断する（ＳＴ１３０）。具体的には、処理部６０は、操作部２０のテンキー２１が居住者等に操作され暗証番号が入力されたか否かを判断する。
【００７３】
暗証番号が入力されなかったと判断した場合（ＳＴ１３０：ＮＯ）、処理部６０は入力待ち時間以内か否かを判断する（ＳＴ１３１）。入力待ち時間以内である場合（ＳＴ１３１：ＹＥＳ）、処理はステップＳＴ１０９に戻る。一方、入力待ち時間以内でない場合（ＳＴ１３１：ＮＯ）、処理はステップＳＴ１０１に戻る。
【００７４】
暗証番号が入力されたと判断した場合（ＳＴ１３０：ＹＥＳ）、記憶部４０に記憶され且つ部屋番号が指定された（ステップＳＴ１０８にて「ｒ」に代入された部屋番号）世帯の暗証番号と、ステップＳＴ１３０にて入力された暗証番号とが一致するか否かを判断する（ＳＴ１３２）。
【００７５】
暗証番号が一致しないと判断した場合（ＳＴ１３２：ＮＯ）、表示制御部９０は、暗証番号が一致しない旨を文字表示部３１に表示させる（ＳＴ１３３）。そして、処理はステップＳＴ１０１に戻る。
【００７６】
暗証番号が一致すると判断した場合（ＳＴ１３２：ＹＥＳ）、鍵制御部７０や自動ドア制御部８０は、共同玄関２の開指令を行う（ＳＴ１３４）。そして、記憶制御部６２は、暗証番号入力者の世帯の部屋番号および開指令された日時分のデータを記憶部４０に記憶させる（ＳＴ１３５）。その後、処理はステップＳＴ１０１に戻る。
【００７７】
このように、本装置１は、暗証番号による解錠も可能とされており、例えば、指紋照合に不適当である幼児や老人が居住者にいたとしても、何ら不都合が生じないようになっている。
【００７８】
次に、指紋データの個別削除を説明する。コマンドが「１」でないと判断した場合（図６：ＳＴ１２２：ＮＯ）、処理部６０は、コマンドが「２」であるか否かを判断する（ＳＴ１３６）。ここで、コマンド「２」とは、削除モードを指定するものであり、削除モードとは、登録権限者が他の居住者の指紋データを記憶部４０から削除するためのモードである。
【００７９】
コマンドが「２」であると判断した場合（ＳＴ１３６：ＹＥＳ）、処理部６０は、ユーザＮｏが入力されたか否かを判断する（ＳＴ１３７）。具体的には、処理部６０は、操作部２０のテンキー２１が登録権限者等に操作されユーザＮｏが入力されたか否かを判断する。
【００８０】
ユーザＮｏが入力されなかったと判断した場合（ＳＴ１３７：ＮＯ）、処理部６０は入力待ち時間以内か否かを判断する（ＳＴ１３８）。入力待ち時間以内である場合（ＳＴ１３８：ＹＥＳ）、処理はステップＳＴ１３７に戻る。一方、入力待ち時間以内でない場合（ＳＴ１３８：ＮＯ）、処理は図５のステップＳＴ１０１に戻る。
【００８１】
ユーザＮｏが入力されたと判断した場合（ＳＴ１３７：ＹＥＳ）、処理部６０は、入力されたユーザＮｏを「ｎ」に代入する（ＳＴ１３９）。その後、処理部６０は、ＳＴスイッチ２２がオンされたか否かを判断する（ＳＴ１４０）。
【００８２】
ＳＴスイッチ２２がオンされていないと判断した場合（ＳＴ１４０：ＮＯ）、処理部６０は、クリアスイッチ２３がオンされたか否かを判断する（ＳＴ１４１）。クリアスイッチ２３がオンされていると判断した場合（ＳＴ１４１：ＹＥＳ）、処理は図５のステップＳＴ１０１に戻る。
【００８３】
クリアスイッチ２３がオンされていないと判断した場合（ＳＴ１４１：ＮＯ）、処理部６０は入力待ち時間以内か否かを判断する（ＳＴ１４２）。入力待ち時間以内である場合（ＳＴ１４２：ＹＥＳ）、処理はステップＳＴ１４０に戻る。一方、入力待ち時間以内でない場合（ＳＴ１４２：ＮＯ）、処理は図５のステップＳＴ１０１に戻る。
【００８４】
ＳＴスイッチ２２がオンされたと判断した場合（ＳＴ１４０：ＹＥＳ）、記憶制御部６２は、登録権限者の属する世帯（ステップＳＴ１０８にて「ｒ」に代入された部屋番号の世帯）に属し、且つステップＳＴ１３９にて「ｎ」に代入されたユーザＮｏの指紋データを削除する（ＳＴ１４３）。そして、記憶制御部６２は、指紋データが削除された日時分のデータ、指紋データが削除された者が属する世帯の部屋番号、およびユーザＮｏを記憶部４０に記憶させる（ＳＴ１４４）。その後、処理は図５のステップＳＴ１０１に戻る。
【００８５】
次に、暗証番号の登録について説明する。コマンドが「２」でないと判断した場合（ＳＴ１３６：ＮＯ）、処理部６０は、コマンドが「３」であるか否かを判断する（図７：ＳＴ１４５）。ここで、コマンド「３」とは、暗証番号登録モードを指定するものであり、暗証番号登録モードとは、登録権限者が自己の世帯の暗証番号を記憶部４０に記憶させるためのモードである。
【００８６】
コマンドが「３」であると判断した場合（ＳＴ１４５：ＹＥＳ）、処理部６０は、暗証番号が入力されたか否かを判断する（ＳＴ１４６）。具体的には、処理部６０は、操作部２０のテンキー２１が登録権限者等に操作され暗証番号が入力されたか否かを判断する。
【００８７】
暗証番号が入力されなかったと判断した場合（ＳＴ１４６：ＮＯ）、処理部６０は入力待ち時間以内か否かを判断する（ＳＴ１４７）。入力待ち時間以内である場合（ＳＴ１４７：ＹＥＳ）、処理はステップＳＴ１４６に戻る。一方、入力待ち時間以内でない場合（ＳＴ１４７：ＮＯ）、処理は図５のステップＳＴ１０１に戻る。
【００８８】
暗証番号が入力されたと判断した場合（ＳＴ１４６：ＹＥＳ）、処理部６０は、ＳＴスイッチ２２がオンされたか否かを判断する（ＳＴ１４８）。
【００８９】
ＳＴスイッチ２２がオンされていないと判断した場合（ＳＴ１４８：ＮＯ）、処理部６０は、クリアスイッチ２３がオンされたか否かを判断する（ＳＴ１４９）。クリアスイッチ２３がオンされていると判断した場合（ＳＴ１４９：ＹＥＳ）、処理は図５のステップＳＴ１０１に戻る。
【００９０】
クリアスイッチ２３がオンされていないと判断した場合（ＳＴ１４９：ＮＯ）、処理部６０は入力待ち時間以内か否かを判断する（ＳＴ１５０）。入力待ち時間以内である場合（ＳＴ１５０：ＹＥＳ）、処理はステップＳＴ１４８に戻る。一方、入力待ち時間以内でない場合（ＳＴ１５０：ＮＯ）、処理は図５のステップＳＴ１０１に戻る。
【００９１】
ＳＴスイッチ２２がオンされたと判断した場合（ＳＴ１４８：ＹＥＳ）、記憶制御部６２は、ステップＳＴ１４６において入力された暗証番号を、登録権限者の世帯に対応する記憶部４０の記憶領域に記憶させる（ＳＴ１５１）。そして、記憶制御部６２は、暗証番号が登録された部屋番号および暗証番号が登録された日時分のデータを記憶部４０に記憶させる（ＳＴ１５２）。その後、処理は図５のステップＳＴ１０１に戻る。
【００９２】
このように、本装置１は、登録権限者が、暗証番号の指定を含む所定の登録操作をすることで、登録権限者の世帯の暗証番号が登録されるようになっている。
【００９３】
次に、暗証番号の削除について説明する。コマンドが「３」でないと判断した場合（ＳＴ１４５：ＮＯ）、処理部６０は、コマンドが「４」であるか否かを判断する（ＳＴ１５３）。ここで、コマンド「４」とは、暗証番号削除モードを指定するものであり、暗証番号削除モードとは、登録権限者が自己の世帯について記憶部４０に記憶される暗証番号を削除するためのモードである。
【００９４】
コマンドが「４」でないと判断した場合（ＳＴ１５３：ＮＯ）、表示制御部９０は、コマンドの入力エラーである旨を文字表示部３１に表示させる（ＳＴ１５４）。そして、処理は図５のステップＳＴ１０１に戻る。
【００９５】
コマンドが「４」であると判断した場合（ＳＴ１５３：ＹＥＳ）、処理部６０は、ＳＴスイッチ２２がオンされたか否かを判断する（ＳＴ１５５）。ＳＴスイッチ２２がオンされていないと判断した場合（ＳＴ１５５：ＮＯ）、処理部６０は、クリアスイッチ２３がオンされたか否かを判断する（ＳＴ１５６）。クリアスイッチ２３がオンされていると判断した場合（ＳＴ１５６：ＹＥＳ）、処理は図５のステップＳＴ１０１に戻る。
【００９６】
クリアスイッチ２３がオンされていないと判断した場合（ＳＴ１５６：ＮＯ）、処理部６０は入力待ち時間以内か否かを判断する（ＳＴ１５７）。入力待ち時間以内である場合（ＳＴ１５７：ＹＥＳ）、処理はステップＳＴ１５５に戻る。一方、入力待ち時間以内でない場合（ＳＴ１５７：ＮＯ）、処理は図５のステップＳＴ１０１に戻る。
【００９７】
ＳＴスイッチ２２がオンされたと判断した場合（ＳＴ１５５：ＹＥＳ）、記憶制御部６２は、登録権限者の属する世帯（ステップＳＴ１０８にて「ｒ」に代入された部屋番号の世帯）の暗証番号を削除する（ＳＴ１５８）。そして、記憶制御部６２は、暗証番号が削除された部屋番号および暗証番号が削除された日時分のデータを記憶部４０に記憶させる（ＳＴ１５９）。その後、処理は図５のステップＳＴ１０１に戻る。
【００９８】
このように、本装置１は、登録権限者が、暗証番号の指定を含む所定の削除操作をすることで、登録権限者の世帯の暗証番号が削除されるようになっている。
【００９９】
また、本装置１は、登録権限者による指紋データの登録等だけでなく、管理人による指紋データの登録、個別削除および一括消去、並びにコンピュータ３への履歴表示が行えるようになっている。
【０１００】
次に、管理人による指紋データの登録について説明する。ここでは、居住者がいない未入居世帯（例えば図４に示す１０４号室）に、新規入居者が入居する場合を例にとって説明する。
【０１０１】
管理スイッチ２５がオンされた場合（図５：ＳＴ１０１：ＮＯ）、処理部６０は、コマンドが入力されたか否かを判断する（図８：ＳＴ１６０）。具体的には、処理部６０は、操作部２０のテンキー２１が管理人等に操作されコマンドが入力されたか否かを判断する。
【０１０２】
コマンドが入力されなかったと判断した場合（ＳＴ１６０：ＮＯ）、処理部６０は入力待ち時間以内か否かを判断する（ＳＴ１６１）。入力待ち時間以内である場合（ＳＴ１６１：ＹＥＳ）、処理はステップＳＴ１５７に戻る。一方、入力待ち時間以内でない場合（ＳＴ１６１：ＮＯ）、処理は図５のステップＳＴ１０１に戻る。
【０１０３】
コマンドが入力されたと判断した場合（ＳＴ１６０：ＹＥＳ）、処理部６０は、コマンドが「１」であるか否かを判断する（ＳＴ１６２）。ここで、コマンド「１」とは、管理人による指紋登録モードを指定するものであり、管理人による指紋登録モードとは、管理人が新規入居者の指紋データを記憶部４０に記憶させるためのモードである。
【０１０４】
コマンドが「１」であると判断した場合（ＳＴ１６２：ＹＥＳ）、処理部６０は、部屋番号が入力されたか否かを判断する（ＳＴ１６３）。具体的には、処理部６０は、操作部２０のテンキー２１が管理人等に操作され部屋番号が入力されたか否かを判断する。
【０１０５】
部屋番号が入力されなかったと判断した場合（ＳＴ１６３：ＮＯ）、処理部６０は入力待ち時間以内か否かを判断する（ＳＴ１６４）。入力待ち時間以内である場合（ＳＴ１６４：ＹＥＳ）、処理はステップＳＴ１６３に戻る。一方、入力待ち時間以内でない場合（ＳＴ１６４：ＮＯ）、処理は図５のステップＳＴ１０１に戻る。
【０１０６】
部屋番号が入力されたと判断した場合（ＳＴ１６３：ＹＥＳ）、処理部６０は、入力された部屋番号を「ｒ」に代入する（ＳＴ１６５）。その後、処理部６０は、ユーザＮｏが入力されたか否かを判断する（ＳＴ１６６）。具体的には、処理部６０は、操作部２０のテンキー２１が管理人等に操作されユーザＮｏが入力されたか否かを判断する。
【０１０７】
ユーザＮｏが入力されなかったと判断した場合（ＳＴ１６６：ＮＯ）、処理部６０は入力待ち時間以内か否かを判断する（ＳＴ１６７）。入力待ち時間以内である場合（ＳＴ１６７：ＹＥＳ）、処理はステップＳＴ１６６に戻る。一方、入力待ち時間以内でない場合（ＳＴ１６７：ＮＯ）、処理は図５のステップＳＴ１０１に戻る。ユーザＮｏが入力されたと判断した場合（ＳＴ１６６：ＹＥＳ）、処理部６０は、入力されたユーザＮｏを「ｎ」に代入する（ＳＴ１６８）。
【０１０８】
代入後、処理部６０は、指紋データが入力されたか否かを判断する（ＳＴ１６９）。具体的には、処理部６０は、指紋入力部１０のセンサ部１１に新規入居者の指が置かれ、新規入居者の指紋が画像データとして取り込まれたか否かを判断する。
【０１０９】
指紋データが入力されなかったと判断した場合（ＳＴ１６９：ＮＯ）、処理部６０は入力待ち時間以内か否かを判断する（ＳＴ１７０）。入力待ち時間以内である場合（ＳＴ１７０：ＹＥＳ）、処理はステップＳＴ１６９に戻る。一方、入力待ち時間以内でない場合（ＳＴ１６９：ＮＯ）、処理は図５のステップＳＴ１０１に戻る。
【０１１０】
指紋データが入力されたと判断した場合（ＳＴ１６９：ＹＥＳ）、処理部６０の記憶制御部６２は、未入居世帯（ステップＳＴ１６５において「ｒ」に代入された部屋番号の世帯）に対応する記憶部４０の記憶領域に新規入居者の指紋データを記憶させる（ＳＴ１７１）。
【０１１１】
このとき、記憶制御部６２は、新規入居者の指紋データを、ステップＳＴ１６９において指定されたユーザＮｏの記憶領域に記憶させる。すなわち、記憶制御部６２は、指定されたユーザＮｏが「００」である場合に、新規入居者を登録権限者として記憶させ、指定されたユーザＮｏが「００」以外である場合に、新規入居者を通常の居住者として記憶させる。なお、通常の居住者とは、自己の世帯内においても指紋登録等の権限を有しない者である。
【０１１２】
そして、記憶制御部６２は、指紋データが登録された日時分のデータ、指紋データが登録された部屋番号、およびユーザＮｏを記憶部４０に記憶させる（ＳＴ１７２）。その後、処理は図５のステップＳＴ１０１に戻る。
【０１１３】
このように、本装置１は、管理人により管理スイッチ２５がオンされた場合であって、且つコマンド「１」が指定された場合（管理人による指紋登録モードが指定された場合）に、新規入居者の指紋データを指紋入力部１０にて入力することにより、未入居世帯と対応する記憶部４０の記憶領域に、その指紋データを記憶させるようになっている。
【０１１４】
また、その際に、本装置１は、新規入居者を登録権限者または通常の居住者として記憶させるようになっている。
【０１１５】
なお、この記憶の際に、新規入居者を強制的に登録権限者として登録するように構成してもよい。また、ここで説明した管理人による指紋登録モードは、未入居世帯に入居する新規入居者の指紋データを登録する場合に限らず、例えば指紋登録方法を知らない居住者の指紋データを登録する場合にも用いられてもよい。
【０１１６】
次に、管理人による指紋データの個別削除を説明する。コマンドが「１」でないと判断した場合（ＳＴ１６２：ＮＯ）、処理部６０は、コマンドが「２」であるか否かを判断する（ＳＴ１７３）。ここで、コマンド「２」とは、管理人による指紋削除モードを指定するものであり、指紋削除モードとは、管理人が居住者の指紋データを記憶部４０から削除するためのモードである。
【０１１７】
コマンドが「２」であると判断した場合（ＳＴ１７３：ＹＥＳ）、処理部６０は、部屋番号が入力されたか否かを判断する（ＳＴ１７４）。具体的には、処理部６０は、操作部２０のテンキー２１が管理人等に操作され部屋番号が入力されたか否かを判断する。
【０１１８】
部屋番号が入力されなかったと判断した場合（ＳＴ１７４：ＮＯ）、処理部６０は入力待ち時間以内か否かを判断する（ＳＴ１７５）。入力待ち時間以内である場合（ＳＴ１７５：ＹＥＳ）、処理はステップＳＴ１７４に戻る。一方、入力待ち時間以内でない場合（ＳＴ１７５：ＮＯ）、処理は図５のステップＳＴ１０１に戻る。
【０１１９】
部屋番号が入力されたと判断した場合（ＳＴ１７４：ＹＥＳ）、処理部６０は、入力された部屋番号を「ｒ」に代入する（ＳＴ１７６）。その後、処理部６０は、ユーザＮｏが入力されたか否かを判断する（ＳＴ１７７）。具体的には、処理部６０は、操作部２０のテンキー２１が管理人等に操作されユーザＮｏが入力されたか否かを判断する。
【０１２０】
ユーザＮｏが入力されなかったと判断した場合（ＳＴ１７７：ＮＯ）、処理部６０は入力待ち時間以内か否かを判断する（ＳＴ１７８）。入力待ち時間以内である場合（ＳＴ１７８：ＹＥＳ）、処理はステップＳＴ１７７に戻る。一方、入力待ち時間以内でない場合（ＳＴ１７８：ＮＯ）、処理は図５のステップＳＴ１０１に戻る。
【０１２１】
ユーザＮｏが入力されたと判断した場合（ＳＴ１７７：ＹＥＳ）、処理部６０は、入力されたユーザＮｏを「ｎ」に代入する（ＳＴ１７９）。その後、処理部６０は、ＳＴスイッチ２２がオンされたか否かを判断する（ＳＴ１８０）。
【０１２２】
ＳＴスイッチ２２がオンされていないと判断した場合（ＳＴ１８０：ＮＯ）、処理部６０は、クリアスイッチ２３がオンされたか否かを判断する（ＳＴ１８１）。クリアスイッチ２３がオンされていると判断した場合（ＳＴ１８１：ＹＥＳ）、処理は図５のステップＳＴ１０１に戻る。
【０１２３】
クリアスイッチ２３がオンされていないと判断した場合（ＳＴ１８１：ＮＯ）、処理部６０は入力待ち時間以内か否かを判断する（ＳＴ１８２）。入力待ち時間以内である場合（ＳＴ１８２：ＹＥＳ）、処理はステップＳＴ１８０に戻る。一方、入力待ち時間以内でない場合（ＳＴ１８２：ＮＯ）、処理は図５のステップＳＴ１０１に戻る。
【０１２４】
ＳＴスイッチ２２がオンされたと判断した場合（ＳＴ１８０：ＹＥＳ）、記憶制御部６２は、ステップＳＴ１７６にて「ｒ」に代入された部屋番号の世帯に属し且つステップＳＴ１７９にて「ｎ」に代入されたユーザＮｏの指紋データを削除する（ＳＴ１８３）。そして、記憶制御部６２は、指紋データが削除された日時分のデータ、指紋データが削除された部屋番号、およびユーザＮｏを記憶部４０に記憶させる（ＳＴ１８４）。その後、処理は図５のステップＳＴ１０１に戻る。
【０１２５】
このように、本装置１は、管理人により管理スイッチ２５がオンされた場合であって、且つコマンド「２」が指定された場合（管理人による指紋削除モードが指定された場合）に、居住者の指紋データを削除するようになっている。
【０１２６】
次に、コンピュータ３での履歴表示等について説明する。コマンドが「２」でないと判断した場合（ＳＴ１７３：ＮＯ）、処理部６０は、コマンドが「８」であるか否かを判断する（図９：ＳＴ１８５）。ここで、コマンド「８」とは、管理人による履歴表示モードを指定するものであり、履歴表示モードとは、管理人が記憶部４０に記憶される本装置１の操作等の履歴をコンピュータ３の画面上に表示させるためのモードである。
【０１２７】
コマンドが「８」であると判断した場合（ＳＴ１８５：ＹＥＳ）、処理部６０は、コンピュータ３から履歴が要求されたか否かを判断する（ＳＴ１８６）。コンピュータ３から履歴が要求されなかったと判断した場合（ＳＴ１８６：ＮＯ）、履歴が要求されるまで、この判断が繰り返される。一方、コンピュータ３から履歴が要求されたと判断した場合（ＳＴ１８６：ＹＥＳ）、処理部６０は、記憶部４０から操作履歴等を読み出し、コンピュータ３に送信する。そして、記憶制御部６２は、履歴を送信した旨およびその日時分のデータを記憶部４０に記憶させる。その後、処理は図５のステップＳＴ１０１に戻る。
【０１２８】
このように、本装置１は、操作履歴等を管理しており、そのデータをコンピュータ３にて参照することが可能となっている。なお、履歴は、上記したもの以外にも多数あり、例えば、後述する指紋データの一括消去に関する履歴や、各部屋に設置された解錠要求ボタンの操作によって解錠されたことを示す履歴や、コンピュータ３からの解錠要求による履歴や、管理キーにより本装置１が空けられたことを示す履歴などが挙げられる。
【０１２９】
次に、指紋データの一括消去について説明する。コマンドが「８」でないと判断した場合（ＳＴ１８５：ＮＯ）、処理部６０は、コマンドが「９」であるか否かを判断する（ＳＴ１８９）。ここで、コマンド「９」とは、指紋データの一括消去モードを指定するものであり、一括消去モードとは、管理人が所定の世帯指紋データ全てを削除するためのモードである。
【０１３０】
コマンドが「９」でないと判断した場合（ＳＴ１８９：ＮＯ）、表示制御部９０は、コマンドの入力エラーである旨を文字表示部３１に表示させる（ＳＴ１９０）。そして、処理は図５のステップＳＴ１０１に戻る。
【０１３１】
コマンドが「９」であると判断した場合（ＳＴ１８９：ＹＥＳ）、処理部６０は、部屋番号が入力されたか否かを判断する（ＳＴ１９１）。具体的には、処理部６０は、操作部２０のテンキー２１が管理者等に操作され部屋番号が入力されたか否かを判断する。
【０１３２】
部屋番号が入力されなかったと判断した場合（ＳＴ１９１：ＮＯ）、処理部６０は入力待ち時間以内か否かを判断する（ＳＴ１９２）。入力待ち時間以内である場合（ＳＴ１９２：ＹＥＳ）、処理はステップＳＴ１９１に戻る。一方、入力待ち時間以内でない場合（ＳＴ１９２：ＮＯ）、処理は図５のステップＳＴ１０１に戻る。
【０１３３】
部屋番号が入力されたと判断した場合（ＳＴ１９１：ＹＥＳ）、処理部６０は、入力された部屋番号を「ｒ」に代入する（ＳＴ１９３）。その後、処理部６０は、ＳＴスイッチ２２がオンされたか否かを判断する（ＳＴ１９４）。
【０１３４】
ＳＴスイッチ２２がオンされていないと判断した場合（ＳＴ１９４：ＮＯ）、処理部６０は、クリアスイッチ２３がオンされたか否かを判断する（ＳＴ１９５）。クリアスイッチ２３がオンされていないと判断した場合（ＳＴ１９５：ＮＯ）、処理部６０は入力待ち時間以内か否かを判断する（ＳＴ１９６）。入力待ち時間以内である場合（ＳＴ１９６：ＹＥＳ）、処理はステップＳＴ１９４に戻る。一方、入力待ち時間以内でない場合（ＳＴ１９６：ＮＯ）、処理は図５のステップＳＴ１０１に戻る。
【０１３５】
ＳＴスイッチ２２がオンされたと判断した場合（ＳＴ１９４：ＹＥＳ）、記憶制御部６２は、ステップＳＴ１９３において入力された部屋番号に対応する世帯の指紋データ全てを削除する（ＳＴ１９７）。そして、記憶制御部６２は、指紋データが削除された世帯の部屋番号および指紋データが削除された日時分のデータを記憶部４０に記憶させる（ＳＴ１９８）。その後、処理は図５のステップＳＴ１０１に戻る。
【０１３６】
このように、本装置１は、部屋番号の指定を含む所定の消去操作を管理人が行うことにより、その部屋番号に対応する記憶部４０内の記憶領域から指紋データを一括消去するようになっている。なお、この一括消去は、管理人によって行われるものであるが、登録権限者によって行われるようにしてもよい。
【０１３７】
そして、以上の処理は、本装置１の電源がオフされるまで繰り返し続けられる。
【０１３８】
このようにして、本実施形態に係る集合住宅指紋照合装置１では、集合住宅の世帯毎の少なくとも一人を、その世帯内の他の居住者について指紋データの登録権限を有する登録権限者として記憶するので、登録権限者の操作により、他の居住者の指紋データの登録が許可され、他の居住者が指紋入力することにより、他の居住者の指紋データが本装置１に記憶されることとなる。このため、他の居住者は、登録権限者と共に登録作業を行えばよく、管理人と共に作業を行なう必要が無い。故に、居住者は、集合住宅に管理人が常駐していない場合であっても、時間の都合等の制約を受けにくくなる。
【０１３９】
また、その世帯に新たに加入する加入者等により家族構成に変更があったときであっても、その加入者等は管理人と共に作業を行う必要がない。故に、居住者は、登録に際し特定者に家族構成等を知られることがない。
【０１４０】
従って、指紋データ登録の際の煩わしさを軽減すると共にプライバシーを保護することができる。
【０１４１】
また、指紋照合に加えて暗証番号の入力により、共同玄関２の開指令が行われるため、例えば、指紋が代わりやすい幼児や、指紋の認識が困難である老人などが集合住宅の居住者にいたとしても、何ら不都合なく指紋照合と暗証番号入力とを併用することにより、共同玄関２の開指令が行われることになる。従って、対象となるユーザ層による制限を受けにくくなる。
【０１４２】
また、暗証番号の登録の際には登録権限者からの操作が必要とされため、部外者により暗証番号が登録されることがなく、さらには、管理人であっても、単独では暗証番号の登録が行えないこととなる。従って、防犯性等を向上させることができる。
【０１４３】
また、新たに集合住宅に入居する新規入居者の指紋データを記憶する際に、新規入居者を登録権限者として記憶させることが可能となっているので、登録権限者として登録した場合には、新規入居者は、今後、自己の世帯に加入する加入者等により家族構成に変更があったとしても、その変更を知られることなく、加入者等の指紋データの登録が行えるようになる。また、その加入者等は、管理人と共に登録作業を行う必要がない。従って、指紋データ登録の際の煩わしさを軽減すると共にプライバシーを保護することができる。
【０１４４】
また、指紋データの一括消去が可能とされているため、退去者は集合住宅の退去時に１つずつ指紋データを消去することなく一括消去することで、消去作業が容易となる。また、退去者が指紋データを消し忘れた場合であっても、管理人が一括消去を行うことで、容易に指紋データが消去されることとなる。従って、利便性を向上させることができる。
【０１４５】
なお、本発明は、上記した実施形態に限られるものではない。例えば、上記実施形態では、コンピュータ３により履歴を表示する例を説明しているが、これに加え履歴の消去をコンピュータ３からの操作により行えるようにしてもよい。
【０１４６】
また、本実施形態では、上記した登録モード等以外にも他のモードを付加するようにしてもよい。例えば、指紋および暗証番号に加え、カード（ＩＤカードなどの入室等を管理するカード）による照合を行う場合を想定し、カードに関するモードを追加するようにしてもよい。この場合、管理人により指定されるコマンドが「１」「２」「８」「９」となっているため、「３」〜「７」のコマンドとして追加することが望ましい。
【０１４７】
さらに、本実施形態では、指紋入力者が登録権限者でない場合および登録権限者であるが登録モードが指定されていない場合に、共同玄関２の開指令を行うようになっているが、これに限られず、鍵制御部７０や自動ドア制御部８０は、登録モードが指定されているか否かにかかわらず、認証部５０により指紋の一致が確認された段階で共同玄関２の開指令を行うようにしてもよい。
【０１４８】
【発明の効果】
本発明によれば、指紋データ登録の際の煩わしさを軽減すると共にプライバシーを保護することができる。
【図面の簡単な説明】
【図１】本発明の実施形態に係る集合住宅指紋照合装置を含むシステム構成図である。
【図２】図１に示した集合住宅指紋照合装置の外観図である。
【図３】本実施形態に係る集合住宅指紋照合装置の内部構成を示すブロック図である。
【図４】記憶部に記憶される内容の一例を示す説明図である。
【図５】本実施形態に係る集合住宅指紋照合装置の動作を示すフローチャートであり、主に解錠の際の動作を示している。
【図６】本実施形態に係る集合住宅指紋照合装置の動作を示すフローチャートであり、主に登録権限者により指紋登録および削除が行われる際の動作を示している。
【図７】本実施形態に係る集合住宅指紋照合装置の動作を示すフローチャートであり、主に登録権限者により暗証番号の登録および削除が行われる際の動作を示している。
【図８】本実施形態に係る集合住宅指紋照合装置の動作を示すフローチャートであり、主に管理人により指紋登録および削除が行われる際の動作を示している。
【図９】本実施形態に係る集合住宅指紋照合装置の動作を示すフローチャートであり、主に管理人により履歴表示および指紋一括消去が行われる際の動作を示している。
【符号の説明】
１  集合住宅指紋照合装置
２  共同玄関
３  コンピュータ
１０  指紋入力部（指紋入力手段）
１１  センサ部
２０  操作部（操作手段）
２１  テンキー
２２  ＳＴスイッチ
２３  クリアスイッチ
２４  バックスペーススイッチ
２５  管理スイッチ
３０  表示部
３１  文字表示部
３２  点灯部
３３  状態表示部
４０  記憶部（記憶手段）
５０  認証部（認証手段）
６０  処理部
６１  権限者判断部（権限者判断手段）
６２  記憶制御部（記憶制御手段）
７０  鍵制御部（指令手段）
８０  自動ドア制御部（指令手段）
９０  表示制御部
【図１】
2004211381.tif 000003
【図２】
2004211381.tif 000004
【図３】
2004211381.tif 000005
【図４】
2004211381.tif 000006
【図５】
2004211381.tif 000007
【図６】
2004211381.tif 000008
【図７】
2004211381.tif 000009
【図８】
2004211381.tif 000010
【図９】
2004211381.tif 000011